(57)【要約】【課題】放電効率を向上させると共にパネルの外部光反射率を減らし、コントラスト特性を向上させることを目的とする。【解決手段】本発明によるプラズマディスプレイパネルは、向かい合わせに配置された前面基板と背面基板との間に互いに交差するよう形成された第１隔壁２１２ａ及び第２隔壁２１２ｂを含んで構成され、第１隔壁及び第２隔壁によって単位放電セル及び単位放電空間が区画されると共に、その単位放電空間の面積対単位放電セルの面積の比率が０．４５以上且つ０．５９以下であることを特徴とする。また、第１隔壁よりも前面基板側に、該第１隔壁に沿って設けられたブラック層２０６をさらに含んだ構成とし、該ブラック層の側縁が、単位放電空間の面積を規定する少なくとも一辺をなすことを特徴とする。【選択図】図５
2007184282.tif 000002
【特許請求の範囲】
【請求項１】
向かい合わせに配置された前面基板と背面基板との間に互いに交差するよう形成された第１隔壁及び第２隔壁を含んで構成され、
前記第１隔壁及び前記第２隔壁によって単位放電セル及び単位放電空間が区画されると共に、前記単位放電空間の面積対前記単位放電セルの面積の比率が０．４５以上且つ０．５９以下であることを特徴とするプラズマディスプレイパネル。
【請求項２】
前記単位放電空間の面積は、隣り合った２つの前記第１隔壁の内側面間の間隔と隣り合った２つの前記第２隔壁の内側面間の間隔とから求められる面積であることを特徴とする請求項１に記載のプラズマディスプレイパネル。
【請求項３】
前記単位放電セルの面積は、隣り合った２つの前記第１隔壁の端面中央線間の間隔と隣り合った２つの前記第２隔壁の端面中央線間の間隔とから求められる面積であることを特徴とする請求項１又は請求項２に記載のプラズマディスプレイパネル。
【請求項４】
前記第１隔壁よりも前記前面基板側に、該第１隔壁に沿って設けられたブラック層をさらに含んで構成され、
該ブラック層の側縁が、前記単位放電空間の面積を規定する少なくとも一辺をなすことを特徴とする請求項１〜３のいずれか１項に記載のプラズマディスプレイパネル。
【請求項５】
前記ブラック層において、前記第１隔壁からセル内側へ張り出す側縁の張り出し幅が、前記第１隔壁の端面幅の０．２倍以下であることを特徴とする請求項４に記載のプラズマディスプレイパネル。
【請求項６】
前記ブラック層は、前記前面基板に形成されたバス電極を利用して形成されることを特徴とする請求項４又は請求項５に記載のプラズマディスプレイパネル。
【請求項７】
前記第１隔壁及び前記第２隔壁の一方又は両方における端面に、長手方向に沿った溝が形成されていることを特徴とする請求項１〜６のいずれか１項に記載のプラズマディスプレイパネル。
【請求項８】
向かい合わせに配置された前面基板と背面基板との間に互いに交差するよう形成された第１隔壁及び第２隔壁を含んで構成され、
前記第１隔壁及び前記第２隔壁によって放電セルと放電空間が区画されると共に、画像表示の有効領域における前記放電空間の総面積対前記放電セルの総面積の比率が０．４５以上且つ０．５９以下であることを特徴とするプラズマディスプレイパネル
【請求項９】
前記放電空間として赤色放電空間、緑色放電空間、青色放電空間を含み、
これら赤色放電空間、緑色放電空間、青色放電空間のうち少なくとも何れか一つの放電空間の面積が、残りの放電空間の面積と異なっていることを特徴とする請求項８に記載のプラズマディスプレイパネル。
【請求項１０】
前記緑色放電空間及び前記青色放電空間の一方又は両方の面積が前記赤色放電空間の面積より広いことを特徴とする請求項９に記載のプラズマディスプレイパネル。
【請求項１１】
前記放電空間の総面積は、単位放電空間の面積の合計であり、
該単位放電空間の面積は、隣り合った２つの前記第１隔壁の内側面間の間隔と隣り合った２つの前記第２隔壁の内側面間の間隔とから求められる面積であることを特徴とする請求項８〜１０のいずれか１項に記載のプラズマディスプレイパネル。
【請求項１２】
前記放電セルの総面積は、単位放電セルの面積の合計であり、
該単位放電セルの面積は、隣り合った２つの前記第１隔壁の端面中央線間の間隔と隣り合った２つの前記第２隔壁の端面中央線間の間隔とから求められる面積であることを特徴とする請求項８〜１１のいずれか１項に記載のプラズマディスプレイパネル。
【請求項１３】
前記第１隔壁よりも前記前面基板側に、該第１隔壁に沿って設けられたブラック層をさらに含んで構成され、
該ブラック層の側縁が、前記放電空間の面積を規定する少なくとも一辺をなすことを特徴とする請求項８〜１２のいずれか１項に記載のプラズマディスプレイパネル。
【請求項１４】
前記ブラック層において、前記第１隔壁からセル内側へ張り出す側縁の張り出し幅が、前記第１隔壁の端面幅の０．２倍以下であることを特徴とする請求項１３に記載のプラズマディスプレイパネル。
【請求項１５】
前記第１隔壁及び前記第２隔壁の一方又は両方における端面に、長手方向に沿った溝が形成されていることを特徴とする請求項８〜１４のいずれか１項に記載のプラズマディスプレイパネル。
【請求項１６】
向かい合わせに配置された前面基板と背面基板との間に互いに交差するよう形成された第１隔壁及び第２隔壁を含んで構成され、
前記第１隔壁の端面幅が前記第２隔壁の端面幅の３倍以上且つ５倍以下であり、
前記第１隔壁及び前記第２隔壁によって単位放電セル及び単位放電空間が区画されると共に、前記単位放電空間の面積対前記単位放電セルの面積の比率が０．４５以上且つ０．５９以下であることを特徴とするプラズマディスプレイパネル。
【請求項１７】
前記第１隔壁が、異なる色の光を放出する前記単位放電セルを区画することを特徴とする請求項１６に記載のプラズマディスプレイパネル。
【請求項１８】
前記単位放電空間の面積は、隣り合った２つの前記第１隔壁の上内側面間の間隔と隣り合った２つの前記第２隔壁の内側面間の間隔とから求められる面積であることを特徴とする請求項１６又は請求項１７に記載のプラズマディスプレイパネル。
【請求項１９】
前記単位放電セルの面積は、隣り合った２つの前記第１隔壁の端面中央線間の間隔と隣り合った２つの前記第２隔壁の端面中央線間の間隔とから求められる面積であることを特徴とする請求項１６〜１８のいずれか１項に記載のプラズマディスプレイパネル。
【請求項２０】
前記第１隔壁よりも前記前面基板側に、該第１隔壁に沿って設けられたブラック層をさらに含んで構成され、
該ブラック層の側縁が、前記単位放電空間の面積を規定する少なくとも一辺をなすことを特徴とする請求項１６〜１９のいずれか１項に記載のプラズマディスプレイパネル。
【発明の詳細な説明】
【技術分野】
【０００１】
本発明は、プラズマディスプレイパネルに関する。
【背景技術】
【０００２】
一般に、プラズマディスプレイパネルは、隔壁により区画された放電セル内に蛍光体を含んで構成され、該放電セルに駆動信号を印加するように複数の電極を備えている。当該プラズマディスプレイパネルは、放電セルに駆動信号を印加することにより、放電セル内に充填されている放電ガスに真空紫外線を発生させ、その真空紫外線が放電セル内に形成された蛍光体を発光させることによって、映像を映し出す。
【発明の開示】
【発明が解決しようとする課題】
【０００３】
本発明は、このようなプラズマディスプレイパネルについて、放電効率を向上させると共にパネルの外部光反射率を減らし、コントラスト特性を向上させることを目的とする。
【課題を解決するための手段】
【０００４】
本発明によるプラズマディスプレイパネルは、向かい合わせに配置された前面基板と背面基板との間に互いに交差するよう形成された第１隔壁及び第２隔壁を含んで構成され、前記第１隔壁及び前記第２隔壁によって単位放電セル及び単位放電空間が区画されると共に、前記単位放電空間の面積対前記単位放電セルの面積の比率が０．４５以上且つ０．５９以下であることを特徴とする。さらには、前記第１隔壁よりも前記前面基板側に、該第１隔壁に沿って設けられたブラック層をさらに含んだ構成とし、該ブラック層の側縁が、前記単位放電空間の面積を規定する少なくとも一辺をなすことを特徴とする。
【０００５】
また、本発明によるプラズマディスプレイパネルは、向かい合わせに配置された前面基板と背面基板との間に互いに交差するよう形成された第１隔壁及び第２隔壁を含んで構成され、前記第１隔壁及び前記第２隔壁によって放電セルと放電空間が区画されると共に、画像表示の有効領域における前記放電空間の総面積対前記放電セルの総面積の比率が０．４５以上且つ０．５９以下であることを特徴とする。さらには、前記第１隔壁よりも前記前面基板側に、該第１隔壁に沿って設けられたブラック層をさらに含んだ構成とし、該ブラック層の側縁が、前記放電空間の面積を規定する少なくとも一辺をなすことを特徴とする。
【０００６】
また、本発明によるプラズマディスプレイパネルは、向かい合わせに配置された前面基板と背面基板との間に互いに交差するよう形成された第１隔壁及び第２隔壁を含んで構成され、前記第１隔壁の端面幅が前記第２隔壁の端面幅の３倍以上且つ５倍以下であり、前記第１隔壁及び前記第２隔壁によって単位放電セル及び単位放電空間が区画されると共に、前記単位放電空間の面積対前記単位放電セルの面積の比率が０．４５以上且つ０．５９以下であることを特徴とする。さらには、前記第１隔壁よりも前記前面基板側に、該第１隔壁に沿って設けられたブラック層をさらに含んだ構成とし、該ブラック層の側縁が、前記単位放電空間の面積を規定する少なくとも一辺をなすことを特徴とする。
【発明の効果】
【０００７】
本発明は、プラズマディスプレイパネルの構造を改善することで、低消費電力と高い発光効率を実現しており、パネル反射率を減らしてコントラストを改善する効果がある。
【発明を実施するための最良の形態】
【０００８】
以下、添付の図面を参照しつつ本発明のプラズマディスプレイ装置を詳細に説明する。
【０００９】
図１は、本発明の一実施形態によるプラズマディスプレイパネルの構造を示す図である。
【００１０】
図１に示すように、プラズマディスプレイパネルは、画像を映出する前面基板２０１にスキャン電極２０２及びサステイン電極２０３を形成してなる前面パネル２００と、スキャン電極２０２及びサステイン電極２０３と交差する方向のアドレス電極２１３を背面基板２１１に配列してなる背面パネル２１０と、を所定の間隔で平行に向かい合わせることで構成されている。
【００１１】
前面基板２０１に形成されたスキャン電極２０２とサステイン電極２０３は、ＩＴＯ物質から形成された透明電極（ａ）と、不透明金属材質から形成されたバス電極（ｂ）と、を含んでいる。そして、スキャン電極２０２及びサステイン電極２０３を形成した前面基板２０１にはさらに、これら電極２０２，２０３の放電電流を制限してスキャン電極２０２とサステイン電極２０３との間を絶縁する誘電体層２０４が形成される。この誘電体層２０４の表面には、放電条件を良くするするために酸化マグネシウム（ＭｇＯ）を蒸着した保護層２０５が形成される。
【００１２】
一方、アドレス電極２１３を配列した背面基板２１１には、各アドレス電極２１３の間を絶縁するための誘電体層２１５が形成される。そして、この誘電体層２１５の表面に、放電セルを区画するための隔壁２１２が形成される。隔壁２１２によって形成される放電セル構造には、ストライプ形（Stripe Type）、井戸形（Well Type）、デルタ形（Delta Type）、蜂の巣形などがある。このような、隔壁２１２によって区画された放電セル内には、色を表現するための赤色（Red:Ｒ）、緑色（Green:Ｇ）、青色（Blue:Ｂ）などの蛍光体２１４が形成される。赤（Ｒ）、緑（Ｇ）、青（Ｂ）以外に、白色（White:Ｗ）や黄色（Yellow:Ｙ）の蛍光体を放電セル内に形成することもできる。
【００１３】
当然のことながら、本発明は、本実施形態に示すプラズマディスプレイパネルの例に限定されるものではない。例えば、誘電体層２０４，２１５が前面側と背面側でそれぞれ一層の例を示しているが、このような誘電体層は、複層とすることも可能である。また、スキャン電極２０２及びサステイン電極２０３が前面パネル２００に含まれ、アドレス電極２１３が背面パネル２１０に含まれる例を説明しているが、前面パネル２００の側にすべての電極が設けられる、あるいは、スキャン電極、サステイン電極、アドレス電極のうちの少なくとも何れか一つの電極が隔壁の表面に形成されるという構成も可能である。さらには、スキャン電極及びサステイン電極は、透明電極の無いバス電極のみから構成する例も可能である。
【００１４】
図２ａ〜図２ｃは、ブラック層を含んだプラズマディスプレイパネルの断面図である。
【００１５】
図２ａを参照すれば、ブラック層２０６は、背面基板２１１に形成された隔壁２１２の位置に対応させて前面基板２０１に形成されている。この隔壁２１２に沿って配置したブラック層２０６は、前面基板２０１においてスキャン及びサステイン電極用透明電極２０２ａ，２０３ａを形成してある面に形成される。
【００１６】
図２ａの例の変形として、ブラック層２０６を、誘電体層２０４で周囲を覆ってしまった形で形成することも可能である。この場合、誘電体層２０４を、スキャン電極２０２及びサステイン電極２０３を覆う第１層（図示せず）と第２層（図示せず）との積層構成とし、ブラック層２０６は、その第１層の表面に、隔壁２１２と対応させて形成した構造とする。すなわち、第１層の上に形成したブラック層２０６を覆うように第２層を形成するものである。
【００１７】
図２ｂを参照すれば、ブラック層２０６は、スキャン及びサステイン電極用透明電極２０２ａ，２０３ａとそのバス電極２０２ｂ，２０３ｂとの間に形成することにより、隔壁２１２に沿って配置してある。この場合のブラック層２０６は、透明電極２０２ａ，２０３ａとバス電極２０２ｂ，２０３ｂとの間を電気的につなぐ導電性物質を用いて形成される。あるいは、ブラック層２６０は、バス電極２０２ｂ，２０３ｂと一体型のものとして形成することもできる。
【００１８】
図２cを参照すれば、ブラック層２０６は、隔壁２１２の端面に形成することで隔壁２１２に沿って配置してある。このようなブラック層２０６は、隔壁２１２と一体型のものとして形成することができる。
【００１９】
以上のように、本実施形態のプラズマディスプレイパネルにおけるブラック層２０６は、背面基板２１１に形成された隔壁２１２に沿って配置され、該隔壁２１２よりも前面基板２０１側に設けられている。
【００２０】
図３は、プラズマディスプレイパネルの放電セル構造を説明するための図である。
【００２１】
図３を参照すれば、プラズマディスプレイパネルの放電セルは、隔壁２１２ａ，ｂによって区画されている。当該隔壁は、第１方向へ延設された第１隔壁２１２ａとその第１方向と交差する第２方向へ延設された第２隔壁２１２ｂとを備えており、これら第１隔壁２１２ａと第２隔壁２１２ｂとが互いに交差することで、単位放電セルが形成されている。第１隔壁２１２ａは同色の放電セルごとの区画、第２隔壁２１２ｂは、第１隔壁２１２ａで区切られた同色の放電セル列を画素ごとに区切る区画である。
【００２２】
このような放電セル構造において、単位放電セルの面積及び単位放電空間の面積を定義することができる。単位放電空間の面積は、隣り合った２つの第１隔壁２１２ａの内側面間の間隔ｄ２（端面側縁間の間隔）と隣り合った２つの第２隔壁２１２ｂの内側面間の間隔ｄ１（端面側縁間の間隔）とを掛け合わせた面積で示すことができ、単位放電セルの面積は、隣り合った２つの第１隔壁２１２ａの端面中央線間の間隔ｄ４と隣り合った２つの第２隔壁２１２ｂの端面中央線間の間隔ｄ３とを掛け合わせた面積で示すことができる。
【００２３】
そしてさらに、その単位放電空間の面積は、第１隔壁２１２ａに沿って配置したブラック層２０６の幅によっても変えることができる。すなわち、ブラック層２０６の幅が隔壁２１２の端面幅と同等以上あって、該ブラック層２０６の側縁が単位放電空間の面積を規定する少なくとも一辺となる場合、当該構造における単位放電空間の面積は、そのブラック層２０６の側縁により決定することができる。つまり、ブラック層２０６の幅ないし位置により単位放電空間の面積を規定し、拡縮することができる。
【００２４】
プラズマディスプレイパネルにおける画像表示の有効領域で、放電空間の総面積と放電セルの総面積とを定義すると、放電空間の総面積は、単位放電空間の面積の合計で示すことができ、放電セルの総面積は、単位放電セルの面積の合計で示すことができる。
【００２５】
このような放電セル構造を有するプラズマディスプレイパネルにおいて、単位放電空間の面積対単位放電セルの面積の比による発光効率について、表１の実験例と図４ａ及び図４ｂにより説明する。
【００２６】
【表１】
2007184282.tif 000003
【００２７】
表１と図４ａ及び図４ｂは、第２隔壁２１２ｂの幅を６０ｕｍに固定する一方、第１隔壁２１２ａの幅とブラック層２０６の幅とを変化させることによって単位放電空間の面積を変化させたときの、プラズマディスプレイパネルの発光効率及び外光反射率を示すものである。実験例では、間隔ｄ３と間隔ｄ４とを掛けた単位放電セルの面積が２０４Ｋμｍ２、間隔ｄ３＝６８０ｕｍ、間隔ｄ４＝３００ｕｍである。
【００２８】
当該結果からわかるように、プラズマディスプレイパネルの発光効率特性及び外光反射率特性は、単位放電空間の面積対単位放電セルの面積の比率、つまり、［単位放電空間の面積］／［単位放電セルの面積］が、０．４５以上且つ０．５９以下である時に、高くなる。そして、このようなプラズマディスプレイパネルの発光効率特性及び外光反射率特性は、単位放電空間の総面積対単位放電セルの総面積の比率が、０．４５以上且つ０．５９以下である時も、高くなる。
【００２９】
第１隔壁２１２ａに沿うブラック層２０６は、図５のように、第１隔壁２１２ａと同じ位置に（第１隔壁の真上に）形成すると、輝度低下を防止することができると同時に、外部光を吸収してコントラスト特性を向上させることができる。この図５に示す、単位放電空間の面積を規定する二辺をなすブラック層２０６において、第１隔壁２１２ａからセル内側へ張り出した側縁の張り出し幅ｗ１は、第１隔壁２１２ａの端面幅ｗ２の０．２倍以下に収めておくと、輝度特性とコントラスト特性を両立させて向上させることができる。
【００３０】
一方、前述したように、放電セルには赤色放電セル、緑色放電セル、青色放電セルがあり、これらの放電セルは、隔壁端面によって区画された赤色、緑色、青色放電空間を含む。この場合、赤色放電空間、緑色放電空間、青色放電空間のうち少なくとも何れか一つの放電空間の面積は、残りの放電空間の面積と異なったものとすることができる。たとえば、青色放電空間及び緑色放電空間のうち少なくとも何れか一方の放電空間の面積を、赤色放電空間の面積より広くすることができる。
【００３１】
このような放電空間の構造は、相異なる色の光を放出する単位放電セルを区画する第１隔壁２１２ａ又はブラック層２０６の幅を変えることで実現し得る。たとえば、第１隔壁２１２ａの端面幅ｗ２は、第２隔壁２１２ｂの端面幅ｗ３の３倍以上且つ５倍以下の範囲で可変とし得る。このような各放電空間の面積変化は、プラズマディスプレイパネルの色温度特性を向上させるものとなる。
【００３２】
図６ａ及び図６ｂは、プラズマディスプレイパネルの隔壁構造例を示す図である。
【００３３】
図６ａを参照すれば、隔壁１１２は、互いに交差した第１隔壁１１２ａと第２隔壁１１２ｂとを含んで構成され、第１隔壁１１２ａの高さ（ｈ２）と第２隔壁１１２ｂの高さ（ｈ１）とが相異なっている。この場合、高いほうの第１隔壁１１２ａが、相異なる色の蛍光体が形成された放電セルを区画し、低いほうの第２隔壁１１２ｂが、同色蛍光体が形成された放電セルを画素ごとに区画する。
【００３４】
このような隔壁構造は、プラズマディスプレイパネルを製造する時に排気特性を向上させ、そして、放電セルに蛍光体を塗布する時に、隣接する放電セルの間に発生し得る蛍光体混色を防止する。
【００３５】
図６ｂを参照すれば、第１隔壁１１２ａ及び第２隔壁１１２ｂの一方又は両方において、その端面に、長手方向に沿って溝Ｂが形成されている。このような隔壁構造は、プラズマディスプレイパネルの排気特性を向上させる。
【００３６】
以上、説明した内容を通じて当業者であれば本発明の技術事象を外れない範囲で変更が可能であり、本発明の技術的範囲は、明細書の詳細な説明に記載された内容に限るのではなく、特許請求の範囲により定められるべきものである。
【図面の簡単な説明】
【００３７】
【図１】本発明に係るプラズマディスプレイパネルの構造を示す図。
【図２ａ】本発明に係るブラック層を含むプラズマディスプレイパネルの断面図。
【図２ｂ】本発明に係るブラック層を含むプラズマディスプレイパネルの断面図。
【図２ｃ】本発明に係るブラック層を含むプラズマディスプレイパネルの断面図。
【図３】本発明に係るプラズマディスプレイパネルの放電セル構造を説明する図。
【図４ａ】本発明に係るプラズマディスプレイパネルにおける単位放電空間の面積対単位放電セルの面積の比率による発光効率を示す図。
【図４ｂ】本発明に係るプラズマディスプレイパネルにおける単位放電空間の面積対単位放電セルの面積の比率による発光効率を示す図。
【図５】本発明に係るプラズマディスプレイパネルのブラック層構造を示す図。
【図６ａ】本発明に係るプラズマディスプレイパネルの隔壁構造を示す図。
【図６ｂ】本発明に係るプラズマディスプレイパネルの隔壁構造を示す図。
【符号の説明】
【００３８】
２００  前面パネル
２０１  前面基板
２０２  スキャン電極
２０３  サステイン電極
２０４  誘電体層
２０５  保護層
２０６  ブラック層
２１０  背面パネル
２１１  背面基板
２１２  隔壁
２１２ａ  第１隔壁
２１２ｂ  第２隔壁
２１５  誘電体層
【図１】
2007184282.tif 000004
【図２ａ】
2007184282.tif 000005
【図２ｂ】
2007184282.tif 000006
【図２ｃ】
2007184282.tif 000007
【図３】
2007184282.tif 000008
【図４ａ】
2007184282.tif 000009
【図４ｂ】
2007184282.tif 000010
【図５】
2007184282.tif 000011
【図６ａ】
2007184282.tif 000012
【図６ｂ】
2007184282.tif 000013